(57)【要約】【目的】  部品数を低減可能であり、組付け方法が簡単であり、組付け後の安定性を高める骨組み構造体を提供する。【解決手段】  骨組み構造体は、面板１と複数の横向き支持管２と縦向き支持管３と連結ユニット４と補強固定具５とを備える。連結ユニット４は、側壁にねじ孔が形成される第１筒部、側壁にねじ孔が形成され前記第１筒部の側壁に直交する第２筒部、ならびに、側壁にねじ孔が形成され前記第１筒部の側壁および前記第２筒部の側壁に直交する第３筒部を有する。【選択図】図２
0003178285.tif 000002
【実用新案登録請求の範囲】
【請求項１】
側壁にねじ孔が形成される第１筒部、側壁にねじ孔が形成され前記第１筒部の側壁に直交する第２筒部、ならびに、側壁にねじ孔が形成され前記第１筒部の側壁および前記第２筒部の側壁に直交する第３筒部を有する連結ユニットと、
両端が開口する筒状に形成され、両端の開口側の側壁に組み合わせ貫通孔を有する横向き支持管と、
両端が開口する筒状に形成され、一方の開口側の側壁に組み合わせ貫通孔を有する縦向き支持管と、
矩形に形成され互いに接続する二つの第１支え板、二つの前記第１支え板に設けられる第２支え板、ならびに、前記第１支え板および前記第２支え板に接続する支持壁を有する補強固定具と、を備える骨組み構造体。
【請求項２】
二つの前記第１支え板は、互いに直交し、
前記第２支え板と前記第１支え板とが直交する請求項１に記載の骨組み構造体。
【請求項３】
板状の面板をさらに備えることを特徴とする請求項１または２に記載の骨組み構造体。
【考案の詳細な説明】
【技術分野】
【０００１】
本案は、骨組み構造体に関し、詳しくは、机、椅子、物置きキャビネット、または、貯蔵キャビネットの骨組みに応用可能な骨組み構造体に関する。
【背景技術】
【０００２】
従来の机、椅子、物品キャビネット、および貯蔵キャビネットは固定式または折り畳み式のものが多く販売されている。固定式のものはその体積が大きくて、製造上、貯蔵上又は運送上不便である。骨組み、および部品が破損した場合の修理も容易でない。それで貯存、および運送上の空間を減少できる折り畳み式および取りはずし式の机、椅子、キャビネットなどが製造販売されている。
【０００３】
また、消費者が自分で組付け可能なＤＩＹ式の机、椅子、キャビネットが市場に販売されている。然しながら、部品点数が余り多くすぎるもの、組み合せが不便なもの、および、組み合わせた後の安定性がよくないものが存在する。
【考案の概要】
【考案が解決しようとする課題】
【０００４】
本考案は、上記の問題に鑑みてなされたものであり、その目的は、部品数を低減可能であり、組付け方法が簡単であり、組付け後の安定性を高める骨組み装置を提供することにある。
【課題を解決するための手段】
【０００５】
本考案の骨組み構造体は、連結ユニット、横向き支持管、縦向き支持管、および補強固定具を備える。連結ユニットは、側壁にねじ孔が形成される第１筒部、側壁にねじ孔が形成され第１筒部の側壁に直交する第２筒部、ならびに、側壁にねじ孔が形成され第１筒部の側壁および第２筒部の側壁に直交する第３筒部を有する。横向き支持管は、両端が開口する筒状に形成され、両端の開口側の側壁に組み合わせ貫通孔を有する。縦向き支持管は、両端が開口する筒状に形成され、一方の開口側の側壁に組み合わせ貫通孔を有する。補強固定具は、矩形に形成され互いに接続する二つの第１支え板、二つの第１支え板に設けられる第２支え板、ならびに、第１支え板および第２支え板に接続する支持壁を有する。
【０００６】
本考案の中の横向き支持管は、例えば、テーブルの面板を支え可能であり、椅子の座席を支えることができる。縦向き支持管は、例えば、テーブルまたは椅子の脚として応用可能である。連結ユニットは、横向き支持管および縦向き支持管を連結し、テーブルの骨組みを形成する。
【図面の簡単な説明】
【０００７】
【図１】本考案の一実施形態による骨組み構造体の連結ユニットおよび補強固定具を示す斜視図。
【図２】本考案の一実施形態による骨組み構造体を示す分解斜視図。
【図３】本考案の一実施形態による骨組み構造体を示す斜視図。
【図４】本考案の一実施形態による骨組み構造体を示す側面図。
【図５】本考案の一実施形態による骨組み構造体の補強固定具を示す斜視図。
【図６】本考案の一実施形態による骨組み構造体の補強固定具を示す側面図。
【図７】本考案の一実施形態による骨組み構造体の補強固定具を示す側面図。
【図８】本考案の一実施形態による骨組み構造体の補強固定具を示す平面図。
【図９】本考案の一実施形態による骨組み構造体の補強固定具を示す底面図。
【図１０】本考案の一実施形態による骨組み構造体の連結ユニットを示す斜視図。
【図１１】本考案の一実施形態による骨組み構造体の連結ユニットを示す側面図。
【図１２】本考案の一実施形態による骨組み構造体の連結ユニットを示す側面図。
【図１３】本考案の一実施形態による骨組み構造体の連結ユニットを示す底面図。
【考案を実施するための形態】
【０００８】
（一実施形態）
本考案の一実施形態を図１〜図１３に基づいて説明する。
本実施形態の骨組み構造体は、面板１と複数の横向き支持管２と縦向き支持管３と連結ユニット４と補強固定具５とを備える。
【０００９】
面板１は、矩形の板状に形成される。
連結ユニット４は、側壁にねじ孔４１が形成される第１筒部４Ａ、側壁にねじ孔４１が形成され前記第１筒部４Ａの側壁に直交する第２筒部４Ｂ、ならびに、側壁にねじ孔４２が形成され前記第１筒部４Ａの側壁および前記第２筒部４Ｂの側壁に直交する第３筒部４Ｃを有する。
【００１０】
横向き支持管２は、両端が開口する筒状に形成され、両端の開口側の側壁に組み合わせ貫通孔２１、２２を有する。
【００１１】
縦向き支持管３は、両端が開口する筒状に形成され、一方の開口側の側壁に組み合わせ貫通孔３１を有する。
【００１２】
補強固定具５は、矩形に形成され互いに接続する二つの第１支え板５１、二つの第１支え板５１に設けられる第２支え板５２、ならびに、第１支え板５１および第２支え板５２に接続する支持壁５３を有する。第１支え板５１には組み合せ貫通孔５１１が形成され、第２支え板５２には組み合せ貫通孔５２１が形成される。
【００１３】
二つの第１支え板５１は、互いに直交する。また、第２支え板５２は第１支え板５１とは直交する。
【００１４】
次に、図１および図２に基づいて組付け工程を説明する。
（１）横向き支持管２の一末端の開き口を連結ユニット４の第１筒部４Ａおよび第２筒部４Ｂにはめ合せる。ねじで横向き支持管２のねじ孔２１にねじ込むことで、第１筒部４Ａと第２筒部４Ｂを連結ユニット４に固定する。
（２）縦向き支持管３（脚）の頂端を連結ユニット４の第３筒部４Ｃにはめ込む。
（３）補強固定具５の第１支え板５１が横向き支持管２の側壁に当接し、補強固定具５の第２支え板５２が縦向き支持管３の側壁に当接するよう、補強固定具５を設ける。補強固定具５の組み合せ貫通孔５１１、５１２を介して、ねじを連結ユニット４のねじ孔４１、４２にねじ込むことで、補強固定具５と横向き支持管２と縦向き支持管３と連結ユニット４とを固定する。
【００１５】
本実施形態は次の効果を有する。
１、消費者が自分で簡単に又迅速に組み付けることが出来る。
２、規格化した部品なので部品破損後の修理を容易に行うことができる。
３、部品が規格化されているので、製造コストを低減し、貯蔵費用を低減することができる。
４、組付けおよび取りはずし作業が容易なので、貯存および運送の費用を低減することができる。
５、複数の固定箇所により組付け後の安定性を高めることができる。
【符号の説明】
【００１６】
１・・・面板
２・・・横向き支持
３・・・縦向き支持管
４・・・連結ユニット
５・・・補強固定具
【図１】
0003178285.tif 000003
【図２】
0003178285.tif 000004
【図３】
0003178285.tif 000005
【図４】
0003178285.tif 000006
【図５】
0003178285.tif 000007
【図６】
0003178285.tif 000008
【図７】
0003178285.tif 000009
【図８】
0003178285.tif 000010
【図９】
0003178285.tif 000011
【図１０】
0003178285.tif 000012
【図１１】
0003178285.tif 000013
【図１２】
0003178285.tif 000014
【図１３】
0003178285.tif 000015